(57)【要約】【課題】機関の運転者が勝手に調整ボルトを回転して流量調整弁を調整することができないようにした気化器の流量調整弁を提供する。【解決手段】調整ボルト３１の頭部５にスプライン軸部５ａと工具受入れ溝６とを設ける。回動防止片７ａとスプライン孔７ｂと工具受入れ孔８と保持部７ｃとを有する回動防止体７を、保持部７ｃによりポンプカバー体２８に保持する。回動防止体７は調整ボルト３１の頭部５に対向し、工具受入れ孔８、工具受入れ溝６を介して調整工具により流量を調整する。調整後に回動防止体７を押圧してポンプカバー体２８から離脱せしめ、さらに調整ボルト３１の頭部５にスプライン嵌合して調整不能にする。【選択図】　　　　　　図１
2004019459.tif 000002
【特許請求の範囲】
【請求項１】
調整ボルトの頭部にスプライン軸部と工具受入れ溝とを設け、回動防止片とスプライン孔と工具受入れ孔とを有する回動防止体を、ポンプカバー体の保持孔に保持するとともに、回動防止体は調整ボルトの頭部に対向し、工具受入れ孔、工具受入れ溝を介して調整工具により流量を調整後に、回動防止体を押圧してポンプカバー体から離脱せしめ、さらに調整ボルトの頭部にスプライン嵌合して調整不能としたことを特徴とする気化器の流量調整弁。
【発明の詳細な説明】
【０００１】
【発明の属する技術分野】
本発明は工場出荷後に運転者（ユーザー）が勝手に調整できないようにした、気化器の流量調整弁に関するものである。
【０００２】
【従来の技術】
特願　２０００−０４５８８４号などに提案される気化器の流量調整弁では、調整ボルトの頭部を気化器本体の空部へ収納し、該空部へ蓋板を圧入したうえ、かしめるなどして蓋板を取り外すことができないようにし、運転者（ユーザー）が勝手に調整ボルトを調整できないようになつている。上述の気化器の流量調整弁は蓋板の加工や組付けに手数がかかるという問題がある。
【０００３】
【発明が解決しようとする課題】
本発明の課題は上述の問題に鑑み、他の構成部材を利用して機関の運転者が勝手に調整ボルトを回転して流量調整弁を調整することを不可能にした気化器の流量調整弁を提供することにある。
【０００４】
【課題を解決するための手段】
上記課題を解決するために、本発明の構成は調整ボルトの頭部にスプライン軸部と工具受入れ溝とを設け、回動防止片とスプライン孔と工具受入れ孔とを有する回動防止体を、ポンプカバー体の保持孔に保持するとともに、回動防止体は調整ボルトの頭部に対向し、工具受入れ孔、工具受入れ溝を介して調整工具により流量を調整後に、回動防止体を押圧してポンプカバー体から離脱せしめ、さらに調整ボルトの頭部にスプライン嵌合して調整不能としたことを特徴とする。
【０００５】
【発明の実施の形態】
本発明は吸引ポンプなどの他の構成部材を共用して調整ボルトの再調整を防止する。
【０００６】
つまり、本発明は流量調整弁の再度の流量調整ができないようにするために、既存のポンプカバー体に設けた保持孔に回動防止体を一旦保持し、回動防止体に設けた工具受入れ孔へ調整工具を挿通して、奥部にある調整ボルトの頭部の工具受入れ溝に係合し、調整ボルトを回動して流量を設定する。その後、調整工具を工具受入れ孔から引き出し、ポンプカバー体の保持孔から押圧工具により、回動防止体に設けたスプライン孔を調整ボルトの頭部のスプライン軸部に外嵌する。回動防止体と一体に設けた回動防止片は溝壁に当接し、回動防止体と調整ボルトの回動を防止する。
【０００７】
【実施例】
図１，２に示すように、左右１対の通孔３３へ挿通した取付ボルトにより機関へ結合される気化器本体２１は、紙面と垂直な方向へ貫通する吸気路と、該吸気路と直交する円筒状の弁室３０とを備えており、弁室３０に吸気道（絞り孔）３５ａを有する回転絞り弁３５が回動可能かつ昇降可能に嵌挿される。回転絞り弁３５は戻しばね３８の力により、弁室３０の底部に配設した周方向に高さが次第に高くなる点対称な１対のカム面を有するカム３４へ当接される。また回転絞り弁３５は戻しばね３８の力により吸気路に対する吸気道３５ａの開度を最小とするアイドル位置へ回転付勢される。
【０００８】
気化器本体２１の下端面に膜５４を挟んで押え板５６を重ね合わせ、かつ複数のボルト５２により気化器本体２１へ結合して定圧燃料供給機構５１が形成される。膜５４の上には定圧燃料室５３が、膜５４の下側には大気室５５がそれぞれ区画される。定圧燃料室５３は逆止弁５７、流量調整弁Ａの円筒部１３、通路孔１２と先端ニードル２との隙間、燃料通路１１を経て燃料供給管３７へ連通される。燃料供給管３７は下端を気化器本体２１の孔に圧入支持され、燃料噴孔を有する上端部を吸気道３５ａへ突出される。回転絞り弁３５に支持したニードル３６が燃料供給管３７へ挿通され、回転絞り弁３５の上昇につれて燃料噴孔の開度が拡げられるようになつている。
【０００９】
気化器本体２１の右側壁には、膜３２を挟んで壁体２４を結合してなる膜型の燃料ポンプ３９と、壁体２４にスポイド２５を結合してなる吸引ポンプ４２とが備えられる。燃料ポンプ３９は機関のクランク室の脈動圧を受ける膜３２の振動により燃料槽から燃料を吸引し、図示してない流入弁を経て定圧燃料室５３へ吐き出す。
【００１０】
吸引ポンプ４２は壁体２４にスポイド２５の端部フランジと、開口を有するポンプカバー体２８とを順に重ね合わせ、複数のボルト２６により壁体２４へ締結される。壁体２４のポンプ室４１に臨む部分に、茸型の複合逆止弁４０が配設される。機関の始動に先立ち、スポイド２５を繰り返し押し潰すと、定圧燃料室５３の燃料蒸気が複合逆止弁４０の傘部を押し開いてポンプ室４１へ吸い込まれ、さらに複合逆止弁４０の偏平な軸部を押し開いて燃料槽へ戻されるようになつている。
【００１１】
本発明によれば、流量調整弁Ａを再調整できないようにロツクする回動防止体７が、気化器本体２１の円筒部１５へ配設され、保持孔２７を有するポンプカバー体２８の延長部により覆われる。壁体２４の外壁面から気化器本体２１へ保持孔２７と同軸に、保持孔２７よりも大径の円筒部１５と、順に内径が小さくなる円筒部１４と円筒部１３と通路孔１２とが設けられ、通路孔１２は通路１１を経て燃料供給管３７へ連通される。円筒部１４に軟質の樹脂スリーブ２２が嵌合され、樹脂スリーブ２２の左端小径部が円筒部１３へ嵌合される。さらに、ねじ孔を有する金属スリーブ２３が円筒部１４へ嵌合され、金属スリーブ２３の左端小径部が樹脂スリーブ２２へ嵌合される。調整ボルト３１には基端の頭部５から先端側へ順に細くなるねじ軸部４と円筒部１３の内径よりも小径の軸部３と先端ニードル２とが形成される。ねじ軸部４を金属スリーブ２３のねじ孔へ螺合すると、小径軸部３により樹脂スリーブ２２の左端部が円筒部１３へ密着されるとともに、先端ニードル２が通路孔１２へ突出される。
【００１２】
図２に示すように、調整ボルト３１を予め組み込んでから、ポンプカバー体２８の保持孔２７へ回動防止体７の小径端部つまり保持部７ｃを嵌挿したうえ、ポンプカバー体２８を壁体２４に複数のボルト２６により締結する。回動防止体７には工具受入れ孔８と、頭部５のスプライン軸部５ａに係合するスプライン孔７ｂとが設けられる。工場出荷時、回動防止体７が頭部５から離れている図２の状態で、ドライバなどの工具を回動防止体７の工具受入れ孔８を経て調整ボルト３１の工具受入れ溝６へ係合し、調整ボルト３１をねじ込むか緩めるかして、定圧燃料室５３から逆止弁５７、円筒部１３、通路孔１２を経て通路１１へ流れる燃料量を加減する。次いで、回動防止体７を左方へ押動してスプライン孔７ｂを頭部５のスプライン軸部５ａへ外嵌する。回動防止体７から径外方へ突出する回動防止片７ａが、円筒部１５の内周面に設けた軸方向の溝壁１５ａへ常時係合されているので、調整ボルト３１は回転できなくなる。また、回動防止体７の左半部の外径が保持孔２７の内径よりも大きいので、回動防止体７を外部へ引き出すことはできない。したがつて、機関の運転者が勝手に調整ボルト３１を回転して流量調整弁Ａを調整することはできない。
【００１３】
なお、本発明は膜型気化器に限定されるものではなく、フロート型気化器にも適用できる。また、回転絞り弁式気化器に限らず、蝶型絞り弁式気化器にも適用できる。
【００１４】
【発明の効果】
本発明は上述のように、調整ボルトを回転して流量を調整した後に、回動防止体の回動防止片を溝壁に沿つて押し込み、回動防止体を調整ボルトの頭部へスプライン嵌合することにより、流量調整弁の回動を簡単に防止できる。
【００１５】
吸引ポンプの構成部品であるポンプカバー体を、回動防止体の初期位置を保持しかつ回動防止体の取外しを防止する機能部品に共用したので、部品点数の増加とならない利点を有する。
【図面の簡単な説明】
【図１】本発明に係る気化器の流量調整弁の回動防止体を調整ボルトの頭部にスプライン嵌合した状態を示す正面断面図である。
【図２】同回動防止体をポンプカバー体の保持孔に保持した流量調整弁の調整可能な状態を示す正面断面図である。
【符号の説明】
Ａ：流量調整弁　２：先端ニードル　３：小径軸部　４：ねじ軸部　５：頭部
５ａ：スプライン軸部　６：工具受入れ溝　７：回動防止体　７ａ：回動防止片
７ｂ：スプライン孔　７ｃ：保持部　８：工具受入れ孔　１１：通路　１２：通路孔　１３：円筒部　１４：円筒部　１５：円筒部　１５ａ：溝壁　２１：気化器本体　２２：樹脂スリーブ　２３：金属スリーブ　２４：壁体　２５：スポイド　２６：ボルト　２７：保持孔　２８：ポンプカバー体　３１：調整ボルト
３２：膜　３５：回転絞り弁　３５ａ：吸気道　３６：ニードル　３７：燃料供給管　３８：戻しばね　３９：燃料ポンプ　４０：複合逆止弁　４２：吸引ポン　５１：定圧燃料供給機構　５３：定圧燃料室
【図１】
2004019459.tif 000003
【図２】
2004019459.tif 000004